(57)【要約】【課題】ユーザーが原稿搬送装置の傾き量を目視により簡単に把握して調整できるようにする。【解決手段】スキャナ筐体１０の上面のうち原稿搬送装置２０を閉じた状態でその外縁に対応する部分には、該原稿搬送装置２０の他方のヒンジ部を支点とする回動方向の位置を把握する目安となる複数の目盛り８２が設けられており、複数の目盛り８２は、原稿搬送装置２０を閉じた状態でその一部が外部に露出して視認可能になるように設けられている。【選択図】図８
2018046527.tif 000002
【特許請求の範囲】
【請求項１】
原稿が載置されるコンタクトガラスを上面に有するスキャナ筐体と、該スキャナ筐体内に収容され、該コンタクトガラス上の原稿の画像を光学的に読取る画像読取部と、該コンタクトガラスに対して上方に開閉可能であり、原稿を該コンタクトガラスの上面に搬送する原稿搬送装置と、該原稿搬送装置の端縁部に沿って間隔を空けて設けられ、該原稿搬送装置を上記スキャナ筐体に対して上下方向に回動可能に保持する一対のヒンジ部とを備え、一方のヒンジ部には、上記原稿搬送装置を他方のヒンジ部を支点に回動させる位置調整機構が設けられた画像読取装置であって、
上記スキャナ筐体の上面のうち原稿搬送装置を閉じた状態でその外縁に対応する部分には、該原稿搬送装置の上記他方のヒンジ部を支点とする回動方向の位置を把握する目安となる複数の目盛りが設けられており、
上記複数の目盛りは、上記原稿搬送装置を閉じた状態でそれらの一部が外部に露出して視認可能になるように設けられている、画像読取装置。  
【請求項２】
請求項１に記載の画像読取装置において、
上記複数の目盛りは、上記スキャナ筐体の上壁部に形成された複数のスリット状孔により形成されており、
上記複数のスリット状孔を上側から覆う半透明のカバー部材と、
上記位置調整機構による上記原稿搬送装置の位置調整時に、上記複数のスリット状孔に向けて下側から光を照射する照明部とをさらに備えている、画像読取装置。
【請求項３】
請求項２に記載の画像読取装置において、
上記画像読取部は、上記スキャナ筐体内に設けられ、主走査方向に直交する副走査方向に移動可能なキャリッジと、該キャリッジに搭載され、上記コンタクトガラス上の原稿に向けて光を出射する光源とを有しており、
上記画像読取部による画像読取りを実行するための画像読取りモードと、上記位置調整機構による上記原稿搬送装置の位置調整を行うための位置調整モードとのいずれか一方をユーザーが設定するためのモード設定部と、
上記モード設定部により画像読取りモードが設定されている場合には、ユーザーからの読取り指示を受け付けない限り、上記光源が上記複数のスリット状孔の下側領域よりも外側に位置するように上記キャリッジを所定位置に待機させる一方、上記モード設定部により位置調整モードが設定された場合には、上記光源が上記複数のスリット状孔の下側に位置するように上記キャリッジを副走査方向に移動させて当該光源より光を出射させる制御部とをさらに備えている、画像読取装置。
【請求項４】
請求項１乃至３のいずれか一項に記載の画像読取装置において、
上記複数の目盛りは、上記原稿搬送装置を閉じたときに該原稿搬送装置における上記他方のヒンジ部からの距離が最も遠い端部に対応する位置に設けられている、画像読取装置。
【請求項５】
請求項２又は３に記載の画像読取装置において、
上記カバー部材の色は、上記スキャナ筐体の上面の色と同系色である、画像読取装置。
【請求項６】
請求項２又は３に記載の画像読取装置において、
上記カバー部材の上面は、上記スキャナ筐体の上面と略連続的に繋がって面一になっている、画像読取装置。
【請求項７】
請求項１乃至６のいずれか一項に記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来より、複写機等の画像形成装置に搭載される画像読取装置として、原稿が載置されるコンタクトガラスを上面に有するスキャナ筐体と、コンタクトガラスに対して上方に開閉可能であり、コンタクトガラス上に原稿を搬送する原稿搬送装置とを備えたものが知られている。スキャナ筐体内には、コンタクトガラス上の原稿画像を光学的に読取る画像読取ユニットが収容されている。画像読取ユニットは、主走査方向に直交する副走査方向に移動可能になっている。
【０００３】
この種の画像形成装置では、原稿搬送装置を閉じたままコンタクトガラス上に原稿を自動搬送しながら原稿画像を読み取るシートスルー方式と、原稿画像の読取り毎に原稿搬送装置を開閉してコンタクトガラス上の原稿を一枚ずつ取り替えて原稿画像を読み取る固定読取り方式との二種類の方式が存在する。
【０００４】
シートスルー方式では、スキャナ筐体内の画像読取ユニットを所定の画像読取り位置に固定したまま原稿画像の読取りを実行する。このため、画像読取り位置において原稿搬送方向が斜めに傾いていると読取り画像も傾いてしまう。画像読取り位置における原稿搬送方向の傾きが生じる一因として、スキャナ筐体に対する原稿搬送装置の組付け誤差が挙げられる。
【０００５】
すなわち、原稿搬送装置は、その端縁部に沿って間隔を空けて設けられた一対のヒンジ部を介してスキャナ筐体に固定されるが、例えば両ヒンジ部の配列方向がスキャナ筐体の端縁に対して平行になっていないと、原稿搬送装置が平面視で（上側から見て）正規の組付け位置に対して傾いてしまう。
【０００６】
この問題を解決するべく、例えば特許文献１に示す画像読取装置では、一方のヒンジ部に位置調整機構を設けるようにしている。位置調整機構は、ユーザーにより操作可能なハンドル部を有している。位置調整機構は、原稿搬送装置を他方のヒンジ部を支点として、ユーザーによるハンド部の操作量に応じた量だけ回転させる。そうして、原稿搬送装置の平面視におけるスキャナ筐体に対する傾きを調整可能になっている。原稿搬送装置の傾き調整の目安となる目盛りは、例えばハンドル部に設けられていて原稿搬送装置を覆うカバーの一部を取り外すことで視認可能になっている。
【先行技術文献】
【特許文献】
【０００７】
【特許文献１】特開２０１１−２０５２７４号公報
【発明の概要】
【発明が解決しようとする課題】
【０００８】
しかしながら、上記特許文献１に示す画像読取装置では、目盛りが位置調整機構のハンドル部に設けられているので、目盛りから判断されるハンドル部の回転量と原稿搬送装置の全体的な傾きと一致しているかどうかを目視で確認し難いという問題がある。
【０００９】
本発明は、かかる点に鑑みてなされたものであり、その目的とするところは、ユーザーが原稿搬送装置の傾き量を目視により簡単に把握しながら精度良く調整可能な画像読取装置を提供することにある。
【課題を解決するための手段】
【００１０】
本発明に係る画像読取装置は、原稿が載置されるコンタクトガラスを上面に有するスキャナ筐体と、該スキャナ筐体内に収容され、該コンタクトガラス上の原稿の画像を光学的に読取る画像読取部と、該コンタクトガラスに対して上方に開閉可能であり、原稿を該コンタクトガラスの上面に搬送する原稿搬送装置と、該原稿搬送装置の端縁部に沿って間隔を空けて設けられ、該原稿搬送装置を上記スキャナ筐体に対して上下方向に回動可能に保持する一対のヒンジ部とを備え、一方のヒンジ部には、上記原稿搬送装置を他方のヒンジ部を支点に回動させる位置調整機構が設けられている。
【００１１】
そして、上記スキャナ筐体の上面のうち原稿搬送装置を閉じた状態でその外縁に対応する部分には、該原稿搬送装置の上記他方のヒンジ部を支点とする回動方向の位置を把握する目安となる複数の目盛りが設けられており、上記複数の目盛りは、原稿搬送装置を閉じた状態でそれらの一部が外部に露出して視認可能になるように設けられている。
【発明の効果】
【００１２】
本発明によれば、ユーザーが原稿搬送装置の傾き量を目視により簡単に把握しながら精度良く調整することができる。
【図面の簡単な説明】
【００１３】
【図１】図１は、実施形態に係る画像読取装置を備えた画像形成装置の全体構成を示す概略図である。
【図２】図２は、画像形成装置を斜め上方から見た外観斜視図である。
【図３】図３は、原稿搬送装置を示す外観斜視図である。
【図４】図４は、原稿搬送装置を支持する左側ヒンジ部を示す側面図である。
【図５】図５は、原稿搬送装置を支持する右側ヒンジ部を示す外観斜視図である。
【図６】図６は、右側ヒンジ部を示す平面図である。
【図７】図７は、原稿搬送装置を開いた状態で、スキャナ筐体の上面の前側且つ右側の隅部を拡大して示す拡大図である。
【図８】図８は、原稿搬送装置を閉じた状態で、スキャナ筐体の上面の前側且つ右側の隅部を拡大して示す拡大図である。
【図９】図９は、図７のIX-IX線断面図である。
【図１０】図１０は、図９のＸ部を拡大して示す拡大図である。
【図１１】図１１は、制御部における位置調整用制御の内容を示すフローチャートである。
【発明を実施するための形態】
【００１４】
以下、本発明の実施形態を図面に基づいて詳細に説明する。尚、本発明は、以下の実施形態に限定されるものではない。
【００１５】
図１は、本実施形態における画像読取装置１を備えた画像形成装置Ｘを示している。画像形成装置Ｘは、画像読取装置１で読み取られた画像データ、又は外部のパーソナルコンピュータ等の情報処理装置から入力された画像データに基づいて用紙に画像を形成する。以下の説明において、特に断らない限り、左側、右側は、画像形成装置Ｘを前側（図１の紙面垂直方向の手前側）から見たときの左側、右側を意味し、前側、後側は、画像形成装置Ｘの前側、後側を意味する。
【００１６】
画像形成装置Ｘは、上端部に画像読取装置１が搭載された画像形成装置本体２を有している。画像形成装置本体２は、画像形成部３と、画像形成部３を内部に収容する筐体４とを有している。画像形成部３は、給紙カセット３０、感光体ドラム３１、帯電装置３２、現像装置３３、転写ローラー３４、除電装置３５を有している。感光体ドラム３１の側方には、定着ローラー３６及び加圧ローラー３７が設けられ、筐体４における定着ローラー３６の側方には排紙トレイ３９が装着されている。
【００１７】
画像形成装置本体２では、上記給紙カセット３０から供給される用紙に対して以下の手順で画像が形成される。具体的には、先ず帯電装置３２によって上記感光体ドラム３１が所定の電位に一様に帯電される。次に、不図示のレーザースキャナーユニット（ＬＳＵ）により感光体ドラム３１の表面に画像データに基づく光が照射される。これにより、感光体ドラム３１の表面に静電潜像が形成される。そして、感光体ドラム３１上の静電潜像は現像装置３３によってトナー像として現像される。続いて、感光体ドラム３１に形成されたトナー像は転写ローラー３４によって用紙に転写されるとともに、転写後の感光体ドラム３１の表面電荷が除電装置３５によって除電される。用紙に転写されたトナー像は、用紙が定着ローラー３６及び加圧ローラー３７の間を通過する際に加熱されて当該用紙に溶融定着される。
【００１８】
−画像読取装置の構成−
画像読取装置１は、上壁部にコンタクトガラス１１が装着された矩形箱状のスキャナ筐体１０と、スキャナ筐体１０の上面を開閉可能に覆うとともにコンタクトガラス１１上に原稿を連続的に供給する原稿搬送装置２０と、スキャナ筐体１０内に収容されてコンタクトガラス１１上の原稿の画像を読取る画像読取部４０とを有している。
【００１９】
原稿搬送装置２０は、図１及び図２に示すように、原稿給紙トレイ２２と、原稿給紙トレイ２２の下側に設けられた原稿排紙トレイ２３と、該原稿給紙トレイ２２から原稿排紙トレイ２３に至るＵ字状の原稿搬送路２４とを有している。原稿搬送装置２０は、原稿給紙トレイ２２上の原稿を、原稿搬送路２４に沿って配置された複数の搬送ローラー対２５によって一枚ずつ下流側に送り出して、コンタクトガラス１１上に設定された所定の原稿読取り位置１１ａを通過させた後、原稿排紙トレイ２３に排出する。
【００２０】
画像読取部４０は、主走査方向に直交する副走査方向（図１の左右方向）に移動可能なキャリッジ４１と、キャリッジ４１を副走査方向に駆動する駆動部４２とを有している。キャリッジ４１には、コンタクトガラス１１上の原稿に向けて光を出射する光源４３と、原稿からの反射光を水平方向に反射する反射ミラー４４とが搭載されている。該反射ミラー４４にて反射された反射光は、反射ミラー４５及び反射ミラー４６によって反射された後、光学レンズ４７を通過してＣＣＤセンサー４８に導かれる。ＣＣＤセンサー４８は、受光した光を光電変換して原稿画像の画像データを生成する。
【００２１】
ここで、画像読取部４０による画像データの読取り方式として、固定読取り方式とシートスルー方式との二つの方式が存在する。固定読取り方式では、原稿画像の読取り毎に、ユーザーが原稿搬送装置２０を開閉してコンタクトガラス１１上の原稿を一枚ずつ取り替えて画像読取装置１に対して読取り指示を行う。画像読取装置１は、ユーザーからの画像読取り指示を受付けると、キャリッジ４１を副走査方向に移動させながらコンタクトガラス１１に載置された原稿画像を読み取る。一方、シートスルー方式では、原稿搬送装置２０を閉じたまま、該原稿搬送装置２０によってコンタクトガラス１１上の原稿読取り位置１１ａに向けて原稿を供給しながら連続的に画像読取りを行う。この読取り動作は、キャリッジ４１を副走査方向に移動させずに原稿読取り位置１１ａの直下に静止させた状態で実行される。
【００２２】
−原稿搬送装置の組付け構造−
次に図３〜図６を参照して、スキャナ筐体１０に対する原稿搬送装置２０の組み付け構造について説明する。
【００２３】
図３に示すように、原稿搬送装置２０の後端部には、左右方向に間隔を空けて並ぶ一対のヒンジ部５０，６０が取付けられている。各ヒンジ部５０，６０はそれぞれ上下方向に延びる脚部５１，６１を有している。各脚部５１，６１がスキャナ筐体１０の後端部に形成された一対の矩形孔（図示省略）に挿入されることで、原稿搬送装置２０がヒンジ部５０，６０を回してスキャナ筐体１０に回動可能に支持される。
【００２４】
具体的には、左側ヒンジ部５０は、図４に示すように、脚部５１と、脚部５１の上端部に固定されたヒンジベース部５２と、該ヒンジベース部５２に対してヒンジ軸５３を介して回動可能に連結されたヒンジ部材５４とを有している。原稿搬送装置２０はヒンジ部材５４の上面にビス５５で構成される。
【００２５】
右側ヒンジ部６０は、図５に示すように、脚部６１と、脚部６１の上端部に固定されたヒンジベース部６２と、該ヒンジベース部６２に対してヒンジ軸６３を回して回動可能に連結された第一ヒンジ部材６４と、第一ヒンジ部材６４の上面に支持される第二ヒンジ部材６５とを有している。第二ヒンジ部材６５には、原稿搬送装置２０を固定するためのビス孔６５ａが形成されている。また、第二ヒンジ部材６５は、第一ヒンジ部材６４に対してヒンジ軸６３に直交する方向（前後方向）に摺動可能に支持されている。そして、右側ヒンジ部６０には、第二ヒンジ部材６５を前後方向に摺動させることで原稿搬送装置２０の傾きを調整する位置調整機構７０が設けられている。
【００２６】
位置調整機構７０は、第二ヒンジ部材６５の上面に固定されたラック７１と、ラック７１に噛み合うウォームギア７２と、ウォームギア７２を回転させるハンドル７３と、第二ヒンジ部材６５を第一ヒンジ部材６４に押圧して固定するレバー７４とを有している。ウォームギア７２及びハンドル７３はシャフト７５に固定されており、レバー７４はウォームギア７２とハンドル７３との間でシャフト７５に回動可能に支持されている。シャフト７５は、第一ヒンジ部材６４の上面から上方に起立する一対の支持片６４ａ，６４ｂに回動可能に支持されている。
【００２７】
原稿搬送装置２０の傾きを調整する際には、先ず、原稿搬送装置２０の上面の外蓋２６（図３参照）を取り外すことで、位置調整機構７０のハンドル７３及びレバー７４を外部に露出させる。次いで、レバー７４を引き上げて位置調整機構７０のロックを解除し、その状態でハンドル７３を回転させる。そうすることで、シャフト７５がウォームギア７２と共に回転して、ウォームギア７２に噛合するラック７１が前後方向に移動する。これにより、原稿搬送装置２０を平面視で左側ヒンジ部５０を支点に前後方向に回動させることができる。ユーザーは、ハンドル７３を操作して、原稿搬送方向が原稿読取り位置１１ａにおいて所定方向（副走査方向）を向くように原稿搬送装置２０の傾きを調整する。
【００２８】
図７に示すように、スキャナ筐体１０の上面には、原稿搬送装置２０の傾き（左側ヒンジ部５０を支点とする前後方向の回動量）を調整する際に、原稿搬送装置２０の位置を把握する目安となる複数の目盛り８２が設けられている。
【００２９】
複数の目盛り８２は、原稿搬送装置２０を閉じたときに該原稿搬送装置２０における左側ヒンジ部５０からの距離が最も遠い端部（本実施形態では、前側且つ右側の端部）に対応する位置に設けられている。複数の目盛り８２は、左右方向に延びる直線状の目盛りであって前後方向に等間隔に並んでいる。本実施形態では、複数の目盛り８２のうち前後方向の中央の目盛り８２ａが最も長く、他の目盛り８２ｂは目盛り８２ａよりもやや短い。
【００３０】
図８に示すように、複数の目盛り８２は、原稿搬送装置を閉じた状態でその一部が外部に露出して視認可能になるように設けられている。
【００３１】
図９に示すように、複数の目盛り８２はそれぞれ、左右方向に延びるスリット状孔８２Ｓにより構成されている。スリット状孔８２Ｓは、スキャナ筐体１０の上壁部に形成された凹部８１の底壁部に形成されている。
【００３２】
凹部８１には、半透明のカバー部材８３が嵌め込まれている。カバー部材８３は、凹部８１の深さと同等の厚みを有する矩形板状をなしている。複数の目盛り８２（スリット状孔８２Ｓ）は、このカバー部材８３により上側から覆われている。カバー部材８３の左右方向の両端面からはそれぞれ係合爪８３ａ（図１０参照）が突出している。カバー部材８３は、各係合爪８３ａを凹部８１の左右の壁面に形成された係合溝８１ａに係合することで固定されている。カバー部材８３の上面とスキャナ筐体１０の上面における凹部８１の外側に位置する部分とは、略連続的に繋がって面一になっている。
【００３３】
カバー部材８３の色は、黒色や茶色などのダーク系の色が好ましく、本実施形態ではスキャナ筐体１０の外壁面の色と同系色の黒色とされている。複数の目盛り８２は、カバー部材８３により覆われることで、通常は外部から見えないようになっている。一方、複数の目盛り８２は、ユーザーが位置調整モードを設定すると、キャリッジ４１がホームポジション（図１におけるキャリッジ４１位置）からスリット状孔８２Ｓの下側に移動して光源４３よりスリット状孔８２Ｓに向けて下側から光が照射されることで、カバー部材８３の上側からでも視認可能になっている。すなわち、光源４３から出射された光は、スリット状孔８２Ｓを通過してライン状の光となってカバー部材８３を透過することで、カバー部材８３の上側から見たときに目盛り８２として視認可能になる。
【００３４】
上記キャリッジ４１の駆動制御は、制御部１００により駆動部４２を介して実行される。図１１は、制御部１００によるキャリッジ４１の駆動制御（位置調整用制御）の内容を示すフローチャートである。ステップＳ１では、操作部４ａ（図１及び図７参照）からの操作信号を基に、原稿搬送装置２０の位置調整モードが設定されているか否かを判定し、この判定がＮＯである場合には画像読取りモードが設定されているものと判断してステップＳ４に進み、ユーザーからの画像読取り指示を受け付けない限りはキャリッジ４１をホームポジション（光源４３複数のスリット状孔８２Ｓの下側領域よりも外側に位置するような所定位置）に待機させる。一方、ステップＳ１の判定がＹＥＳである場合には、ステップＳ２に進んでキャリッジ４１を所定調整用位置に移動させた後、ステップＳ３に進んで光源４３による光の照射を開始し、しかる後にリターンする。ここで、所定調整用位置とは、主走査方向（前後方向）から見て、目盛り８２の左右方向の中央位置Ｃ（図９参照）の直下に光源４３が配置されるような位置である。
【００３５】
以上説明したように上記実施形態では、スキャナ筐体１０の上面のうち原稿搬送装置２０を閉じた状態でその外縁に対応する部分には、左側ヒンジ部５０を支点とする原稿搬送装置２０の回動方向の位置を把握する目安となる複数の目盛り８２が設けられており、該複数の目盛り８２は、原稿搬送装置２０を閉じた状態でその一部が外部に露出して視認可能になるように設けられている。
【００３６】
この構成によれば、原稿搬送装置２０全体を見てその傾きを大ざっぱに把握しながら、目盛り８２を見て原稿搬送装置２０の傾きを細かく調整することができる。
【００３７】
また、上記実施形態では、複数の目盛り８２をスキャナ筐体１０の上壁部に形成された複数のスリット状孔８２Ｓにより構成し、複数のスリット状孔８２Ｓを半透明のカバー部材８３によって覆うようにしている。
【００３８】
この構成によれば、スリット状孔８２Ｓ（目盛り８２）は半透明のカバー部材８３によって覆われているので、位置調整モードが設定されない限り、目盛り８２が外部に露出することはない。
【００３９】
一方、ユーザーが位置調整モードを設定すると、制御部１００が、駆動部４２を介してキャリッジ４１をホームポジションから所定調整用位置（図９参照）に移動させて光源４３からスリット状孔８２Ｓに向けて光が照射されるので、複数のスリット状孔８２Ｓ（つまり目盛り８２）をカバー部材８３の上側からでも視認可能になる。このように、複数の目盛り８２は、原稿搬送装置２０の位置調整が必要なときだけ外部から視認可能になるので、目盛り８２を設けることによる画像読取装置１の外観意匠の低下を防止しつつ、原稿搬送装置２０の位置調整を精度良く行うことができる。
【００４０】
また、上記複数の目盛り８２は、該原稿搬送装置２０の回動支点となる左側ヒンジ部５０からの距離が最も遠い端部に対応する位置に設けられている。これにより、原稿搬送装置２０の微小な角度変化を目盛り部８０において十分に拡大して容易に把握することができる。
【００４１】
また、上記実施形態では、上記カバー部材８３の色は、スキャナ筐体１０の上面の色と同系色とされているので、スキャナ筐体１０の上面の色が局所的に異なることにより外観意匠が低下するのを防止することができる。
【００４２】
また、上記実施形態では、カバー部材８３の上面は、スキャナ筐体１０の上面と略連続的に繋がって面一になっているので、スキャナ筐体１０の上面に段差が生じることにより外観意匠が低下するのを防止することができる。
【００４３】
また、上記実施形態では、複数のスリット状孔８２Ｓに下側から光を照射する照明部として、キャリッジ４１に搭載された光源４３を利用するようにしている。したがって、照明部を別途設ける場合に比べてコストを削減することができる。
【００４４】
《他の実施形態》
上記実施形態では、複数のスリット状孔８２Ｓに下側から光を照射する照明部としてキャリッジ４１に搭載された光源４３を利用するようにしているが、これに限ったものではなく、照明部を別途設けるようにしてもよい。この場合、ユーザーが原稿搬送装置２０の傾き調整を行うときだけ照明部の電源をオンするようにすればよい。
【産業上の利用可能性】
【００４５】
以上説明したように、本発明は、画像読取装置及び該画像読取装置を備えた画像形成装置について有用である。
【符号の説明】
【００４６】
Ｘ     画像形成装置
１     画像読取装置
１０   スキャナ筐体
１１   コンタクトガラス
２０   原稿搬送装置
４０   画像読取部
４１   キャリッジ
４２   駆動部
４３   光源
５０   左側ヒンジ部（他方のヒンジ部）
６０   右側ヒンジ部（一方のヒンジ部）
７０   位置調整機構
８２   目盛り
８２Ｓ スリット状孔
８３   カバー部材
１００ 制御部
【図１】
2018046527.tif 000003
【図２】
2018046527.tif 000004
【図３】
2018046527.tif 000005
【図４】
2018046527.tif 000006
【図５】
2018046527.tif 000007
【図６】
2018046527.tif 000008
【図７】
2018046527.tif 000009
【図８】
2018046527.tif 000010
【図９】
2018046527.tif 000011
【図１０】
2018046527.tif 000012
【図１１】
2018046527.tif 000013